(57)【要約】      （修正有）【課題】固定用の雌ねじ部の位置を容易に特定して取付作業の容易化を図ることができるセンターコンソール取付用テンプレートを提供する。【解決手段】テンプレート本体３と、テンプレート本体３に車両の運転室９の所定位置に設けられたセンターコンソール取付用凹部１１の位置に合わせて設けられた凹部位置特定用開口部５と、テンプレート本体３に設けられ車両の運転室におけるテンプレート本体３の位置を規定する位置規定部１３、１５と、を具備した構成になっている。車両の運転室９においてテンプレート本体３の位置を位置規定部１３、１５によって規定するだけで、センターコンソール取付用凹部１１の真上に凹部位置特定用開口部５を位置させることができ、車両側に設けられカーペットにより覆われていて視認できないセンターコンソール取付用凹部１１の位置を容易に特定して、センターコンソール取付作業の容易化を図ることができる。【選択図】図２
0003220026.tif 000002
【実用新案登録請求の範囲】
【請求項１】
テンプレート本体と、
上記テンプレート本体に車両の運転室の所定位置に設けられたセンターコンソール取付用凹部の位置に合わせて設けられた凹部位置特定用開口部と、
上記テンプレート本体に設けられ上記車両の運転室における上記テンプレート本体の位置を規定する位置規定部と、
を具備したことを特徴とするセンターコンソール取付用テンプレート。
【請求項２】
請求項１記載のセンターコンソール取付用テンプレートにおいて、
上記位置規定部は上記車両の運転室に設けられた構造物が嵌合される位置規定用切欠部であることを特徴とするセンターコンソール取付用テンプレート。
【請求項３】
請求項２記載のセンターコンソール取付用テンプレートにおいて、
上記位置規定用切欠部は複数箇所に設けられていることを特徴とするセンターコンソール取付用テンプレート。
【請求項４】
請求項１〜請求項３の何れかに記載のセンターコンソール取付用テンプレートにおいて、
上記凹部位置特定用開口部は上記センターコンソール取付用凹部に対して大きく形成されていることを特徴とするセンターコンソール取付用テンプレート。
【請求項５】
請求項４記載のセンターコンソール取付用テンプレートにおいて、
上記凹部位置特定用開口部は上記センターコンソール取付用凹部に対して８倍以上の大きさで形成されていることを特徴とするセンターコンソール取付用テンプレート。
【請求項６】
請求項１〜請求項５の何れかに記載のセンターコンソール用テンプレートにおいて、
上記センターコンソール取付用凹部は雌ねじ部であることを特徴とするセンターコンソール取付用テンプレート。
【請求項７】
請求項１〜請求項６の何れかに記載センターコンソール取付用テンプレートにおいて、
上記凹部位置特定用開口部は円形であることを特徴とするセンターコンソール用テンプレート。
【考案の詳細な説明】
【技術分野】
【０００１】
本考案は、センターコンソールを車両の運転室の所定位置に取り付ける際に使用するセンターコンソール取付用テンプレートに係り、特に、カーペットにより覆われていて視認できないセンターコンソール固定用凹部（例えば、雌ねじ部）の位置を容易に特定して、センターコンソール取付作業の容易化を図ることができるように工夫したものに関する。
【背景技術】
【０００２】
車両の運転室の運転席と助手席との間にはセンターコンソールが設置されている。車両を出荷する場合には、標準のセンターコンソールが予め取り付けられている場合と、センターコンソールが取り付けられていない場合と、の二通りがある。後者の場合には、ユーザが好みのセンターコンソールを購入して後付けする。
【０００３】
上記センターコンソールの後付けは次のような手順で行われる。通常、車両の運転室の所定位置にはセンターコンソールを取付・固定するための複数個の雌ねじ部が設けられている。それら複数個の雌ねじ部に雄ねじをセンターコンソール越しに螺合することにより取り付ける。
【０００４】
ところが、車両出荷時にはそれら複数の雌ねじ部はカーペットにより覆われており外部から視認することはできない。一方、車両メーカー純正のセンターコンソールを購入すると図面が添付されていて、その図面には雌ねじ部の位置を特定するための寸法が記載されている。そこで、カーペット越しにスケールによって寸法を測りながら雌ねじ部の位置を特定し、その特定された位置のカーペットを剥がすことにより上記雌ねじ部を露出させていた。
【０００５】
センターコンソールボックスの支持構造、取付構造を開示するものとして、例えば、特許文献１、特許文献２、等がある。
【先行技術文献】
【特許文献】
【０００６】
【特許文献１】特開２０１５−０８５７３６号公報
【特許文献２】特開２００９−１１３５３４号公報
【考案の概要】
【考案が解決しようとする課題】
【０００７】
上記従来の構成によると次のような課題があった。
すなわち、センターコンソールを後付けする場合の取付作業が面倒であり、長い作業時間と多くの労力を要してしまうという問題があった。これはスケールによって寸法を測りながらの作業が面倒であることに起因する。
【０００８】
本考案はこのような点に基づいてなされたものでその目的とするところは、車両側に設けられカーペットにより覆われていて視認できないセンターコンソール固定用凹部の位置を容易に特定して、センターコンソール取付作業の容易化を図ることができるセンターコンソール取付用テンプレートを提供することにある。
【課題を解決するための手段】
【０００９】
上記目的を達成するべく本願発明の請求項１によるセンターコンソール取付用テンプレートは、テンプレート本体と、上記テンプレート本体に車両の運転室の所定位置に設けられたセンターコンソール取付用凹部の位置に合わせて設けられた凹部位置特定用開口部と、上記テンプレート本体に設けられ上記車両の運転室における上記テンプレート本体の位置を規定する位置規定部と、を具備したことを特徴とするものである。
又、請求項２によるセンターコンソール取付用テンプレートは、請求項１記載のセンターコンソール取付用テンプレートにおいて、上記位置規定部は上記車両の運転室に設けられた構造物が嵌合される位置規定用切欠部であることを特徴とするものである。
又、請求項３によるセンターコンソール取付用テンプレートは、請求項２記載のセンターコンソール取付用テンプレートにおいて、上記位置規定用切欠部は複数箇所に設けられていることを特徴とするものである。
又、請求項４によるセンターコンソール取付用テンプレートは、請求項１〜請求項３の何れかに記載のセンターコンソール取付用テンプレートにおいて、上記凹部位置特定用開口部は上記センターコンソール取付用凹部に対して大きく形成されていることを特徴とするものである。
又、請求項５によるセンターコンソール取付用テンプレートは、請求項４記載のセンターコンソール取付用テンプレートにおいて、上記凹部位置特定用開口部は上記センターコンソール取付用凹部に対して８倍以上の大きさで形成されていることを特徴とするものである。
又、請求項６によるセンターコンソール取付用テンプレートは、請求項１〜請求項５の何れかに記載のセンターコンソール用テンプレートにおいて、上記センターコンソール取付用凹部は雌ねじ部であることを特徴とするものである。
又、請求項７によるセンターコンソール取付用テンプレートは、請求項１〜請求項６の何れかに記載センターコンソール取付用テンプレートにおいて、上記凹部位置特定用開口部は円形であることを特徴とするものである。
【考案の効果】
【００１０】
以上述べたように本発明の請求項１によるセンターコンソール取付用テンプレートによると、テンプレート本体と、上記テンプレート本体に車両の運転室の所定位置に設けられたセンターコンソール取付用凹部の位置に合わせて設けられた凹部位置特定用開口部と、上記テンプレート本体に設けられ上記車両の運転室における上記テンプレート本体の位置を規定する位置規定部と、を具備した構成になっているので、車両の運転室においてテンプレート本体の位置を位置規定部によって規定するだけで、センターコンソール取付用凹部の真上に上記凹部位置特定用開口部を位置させることができ、車両側に設けられカーペットにより覆われていて視認できないセンターコンソール取付用凹部の位置を容易に特定して、センターコンソール取付作業の容易化を図ることができる。
又、請求項２によるセンターコンソール取付用テンプレートによると、請求項１記載のセンターコンソール取付用テンプレートにおいて、上記位置規定部は上記車両の運転室に設けられた構造物が嵌合される位置規定用切欠部であるので、位置規定用切欠部を構造物に嵌合させるという簡単な作業でテンプレート本体の位置を所定の位置に規定することができ、それによって、上記効果をより確実なものとすることができる。
又、請求項３によるセンターコンソール取付用テンプレートによると、請求項２記載のセンターコンソール取付用テンプレートにおいて、上記位置規定用切欠部は複数箇所に設けられているので、テンプレート本体の位置を高い精度で所定位置に規定することができ、それによって、上記効果をより確実なものとすることができる。
又、請求項４によるセンターコンソール取付用テンプレートによると、請求項１〜請求項３の何れかに記載のセンターコンソール取付用テンプレートにおいて、上記凹部位置特定用開口部は上記センターコンソール取付用凹部に対して大きく形成されているので、センターコンソール取付用凹部の位置にバラツキがあってもそれを吸収してその位置を特定することができる。
又、請求項５によるセンターコンソール取付用テンプレートによると、請求項４記載のセンターコンソール取付用テンプレートにおいて、上記凹部位置特定用開口部は上記センターコンソール取付用凹部に対して８倍以上の大きさで形成されているので、上記効果より高めることができる。
又、請求項６によるセンターコンソール取付用テンプレートによると、請求項１〜請求項５の何れかに記載のセンターコンソール用テンプレートにおいて、上記センターコンソール取付用凹部は雌ねじ部であり、そのような場合でも上記効果を確実に得ることができる。
又、請求項７によるセンターコンソール取付用テンプレートによると、請求項１〜請求項６の何れかに記載センターコンソール取付用テンプレートにおいて、上記凹部位置特定用開口部は円形であるので、上記バラツキ吸収効果を高いものとすることができる。
【図面の簡単な説明】
【００１１】
【図１】本考案の第１の実施の形態を示す図で、センターコンソール取付用テンプレートの平面図である。
【図２】本考案の第１の実施の形態を示す図で、図２（ａ）は車両の運転室全体を示す平面図、図２（ｂ）は図２（ａ）のＩＩｂ部を拡大して示す図で、センターコンソール取付用テンプレートによりセンターコンソール取付用の雌ねじ部の位置を特定している様子を示す図である。
【図３】本考案の第１の実施の形態を示す図で、図３（ａ）はセンターコンソールを運転室の所定位置に取り付ける様子を示す斜視図、図３（ｂ）は図３（ａ）のＩＩＩｂ部の拡大図で、位置決めした箇所のカーペットを部分的に切り起した状態を示す図である。
【図４】本考案の第２の実施の形態を示す図で、センターコンソール取付用テンプレートの平面図である。
【図５】本考案の第２の実施の形態を示す図で、センターコンソール取付用テンプレートによりセンターコンソール取付用の雌ねじ部の位置を特定している様子を示す車両の運転室の一部平面図である。
【図６】本考案の第２の実施の形態を示す図で、センターコンソールを運転室の所定位置に取り付ける様子を示す斜視図である。
【図７】本考案の第３の実施の形態を示す図で、センターコンソール取付用テンプレートの平面図である。
【図８】本考案の第３の実施の形態を示す図で、センターコンソール取付用テンプレートによりセンターコンソール取付用の雌ねじ部の位置を特定している様子を示す車両の運転室の一部平面図である。
【図９】本考案の第３の実施の形態を示す図で、センターコンソールを運転室の所定位置に取り付ける様子を示す斜視図である。
【考案を実施するための形態】
【００１２】
以下、図１乃至図３を参照して本考案の第１の実施の形態を説明する。図１は本実施の形態によるセンターコンソール取付用テンプレート１の平面図であり、まず、テンプレート本体３がある。上記テンプレート本体３は略長方形の板状をなしている。
【００１３】
上記テンプレート本体３には複数個（この実施の形態の場合には４個）の凹部位置特定用開口部５が形成されている。これら複数個の凹部位置特定用開口部５は円形であり、図２（ｂ）に示すように、車両７の運転室９の所定位置に設けられたセンターコンソール取付用凹部としての複数個（この実施の形態の場合には４個）の雌ねじ部１１の位置に合致した位置に形成されている。
【００１４】
上記テンプレート本体３には、位置規定用切欠部１３、１５が形成されている。一方、図２（ｂ）に示すように、上記車両７の運転室９側には構造物１７、１９が設けられている。
【００１５】
上記テンプレート本体３を上記車両７の運転室９の所定位置に載置して、上記位置規定用切欠部１３、１５が上記構造物１７、１９に嵌合するようにスライドさせることにより、上記テンプレート本体３を運転室９の所定の位置に位置決めすることができる。それによって、凹部位置特定用開口部５が上記雌ねじ部１１の真上に位置することになる。
又、上記テンプレート本体３には覗き穴２７、２９が形成されている。車両７側にはある種の部品がボルトにより固定されており、上記覗き穴２７、２９を介して上記ボルトを覗くことができるか否かを確認し、それによって、テンプレート本体３の位置を確認する。つまり、これも位置決め機能の一つになる。
尚、運転室９においては上記雌ねじ部１１はカーペット２１によって覆われており外部から視認することはできない。
【００１６】
以上の構成を基にその作用を説明する。
図２に示すように、出荷された車両７の運転室９にはカーペット２１が設置されており、よって、センターコンソール２３（図３に示す）を取り付けるための雌ねじ部１１は外部から視認することはできない。
その状態で、センターコンソール取付用テンプレート１を所定位置に設置する。すなわち、センターコンソール取付用テンプレート1を運転室９の所定位置に設置して、位置規定用切欠部１３、１５が構造物１７、１９に嵌合するようにスライドさせる。それによって、センターコンソール取付用テンプレート１が所定位置に規定され、凹部位置特定用開口部５がカーペット２１により覆われていて視認できない雌ねじ部１１の真上に位置することになる。
【００１７】
次に、図３（ｂ）に示すように、図示しないカッタにより、上記凹部位置特定用開口部５内のカーペット２１の一部を剥がし、上記雌ねじ部１１を露出させる。図３（ｂ）中カーペット２１の切起片を符号２１ａで示す。
【００１８】
次に、図３（ａ）に示すように、上記センターコンソール取付用テンプレート１を撤去して、センターコンソール２３を搬入し、このセンターコンソール２３の内側から、４個の雄ねじ２５、２５、２５、２５を上記雌ねじ部１１、１１、１１、１１に螺合する。それによって、上記センターコンソール２３が運転室９の所定位置に取り付けられることになる。
【００１９】
以上、本実施の形態によると次のような効果を奏することができる。
まず、センターコンソール２３の取付作業の容易化を図ることができる。これは、センターコンソール取付用テンプレート１を使用することにより、カーペット２１により覆われていて視認できない雌ねじ部１１の位置を正確に特定することができるからである。
又、センターコンソール取付用テンプレート１を、位置規定用切欠部１３、１５が構造物１７、１９に嵌合するようにスライドさせることにより、その位置を所定の位置に容易に規定することができ、それによっても、センターコンソール２３の取付作業の容易化を図ることができる。
特に、２個の位置規定用切欠部１３、１５が設けられているので、その位置決め精度も高い。
又、上記凹部位置特定用開口部５は雌ねじ部１１に対して大きく形成されているので、雌ねじ部１１の位置にバラツキがあっても位置の特定上問題はない。特に、本実施の形態の場合には８倍以上の大きさに設定されているので、確実である。
又、カーペット２１の一部を剥がす作業も容易である。これも上記凹部位置特定用開口部５が雌ねじ部１１に対して大きく形成されているからである。
又、覗き穴２７、２９が設けられているので、それによっても、位置決め精度を高めることができる。
【００２０】
次に、図４乃至図６を参照して本発明の第２の実施の形態を説明する。前記第１の実施の形態の場合には、標準的な大きさのセンターコンソール２３を取り付ける場合を例に挙げて説明したが、この第２の実施の形態の場合とは異なる大きさのセンターコンソールボックス２３′を取り付ける場合を例に挙げて説明するものである。
この場合には、前記第１の実施の形態におけるセンターコンソール取付用テンプレート１に対してより大きさの異なるセンターコンソール取付用テンプレート１′を使用するものである。
その他の構成は前記第１の実施の形態の場合と同じであり、図中同一部分には同一符号と「′」記号を付して示しその説明を省略する。
【００２１】
したがって、前記第１の実施の形態の場合と同様の効果を奏することができる。
【００２２】
次に、図７乃至図９を参照して本発明の第３の実施の形態を説明する。前記第１の実施の形態の場合には、標準的な大きさのセンターコンソール２３を取り付ける場合を例に挙げて説明したが、この第３の実施の形態の場合には、より大型で、且つ、より複雑な形状のセンターコンソールボックス２３″を取り付ける場合を例に挙げて説明するものである。
この場合には、前記第１の実施の形態におけるセンターコンソール取付用テンプレート１に対してより大型で、且つ、複雑な形状のセンターコンソール取付用テンプレート１″を使用するものである。
その他の構成は前記第１の実施の形態の場合と同じであり、図中同一部分には同一符号と「″」記号を付して示しその説明を省略する。
【００２３】
したがって、前記第１、第２の実施の形態の場合と同様の効果を奏することができる。
【００２４】
尚、本考案は前記第１〜第３の実施の形態に限定されるものではない。
まず、対象となるセンターコンソールボックスの形状、大きさについてはこれを特に限定するものではない。
又、センターコンソール取付用テンプレートの形状、大きさについてもこれを特に限定するものではない。
又、凹部位置特定用開口部５の形状、位置、大きさについてもこれを特に限定するものではない。
又、前記第１乃至第３の実施の形態の場合には、センターコンソール取付用凹部の一例として雌ねじ部の場合を例に挙げて説明したが、それに限定されるものではなく、単なる穴でも良い。その場合にはその穴に圧入ピンを圧入することによりセンターコンソールを取り付けることになる。
又、前記第１乃至第３の実施の形態の場合には、凹部位置特定用開口部の形状を円形したが、それに限定されるものではなく、三角形、四角形、等様々な形状が考えられる。
その他、図示した構成はあくまで一例である。
【産業上の利用可能性】
【００２５】
本考案は、センターコンソールを車両の運転室の所定位置に取り付ける際に使用するセンターコンソール取付用テンプレートに係り、特に、車両側に設けられカーペットにより遮蔽されていて視認できない固定用の雌ねじ部の位置を容易に特定して、取付作業の容易化を図ることができるように工夫したものに関し、例えば、トラックのセンターコンソールの取付に好適である。
【符号の説明】
【００２６】
１  センターコンソール取付用テンプレート
３  テンプレート本体
５  凹部位置特定用開口部
７  車両
９  運転室
１１  雌ねじ部（センターコンソール取付用凹部）
１３  位置規定用切欠部
１５  位置規定用切欠部
１７  構造物
１９  構造物
２１  カーペット
２３  センターコンソール
２５  雄ねじ
【図１】
0003220026.tif 000003
【図２】
0003220026.tif 000004
【図３】
0003220026.tif 000005
【図４】
0003220026.tif 000006
【図５】
0003220026.tif 000007
【図６】
0003220026.tif 000008
【図７】
0003220026.tif 000009
【図８】
0003220026.tif 000010
【図９】
0003220026.tif 000011